【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
切削工具組立体（１００、２００、３００）において、
前後方向（ＤＲ、ＤＦ）に延在するホルダ長手方向軸（Ｈ）を有する工具ホルダ（１０２、２０２、３０２）であって、ホルダ前端部（１５２）、ホルダ上端部（１５３）、前記ホルダ前端部（１５２）と前記ホルダ上端部（１５３）の間に延在するホルダ合わせ面（１１４、３１４）、および前記ホルダ合わせ面（１１４、３１４）から前記後方向（ＤＲ）に離間したホルダクランピング部分（１１２）を含む工具ホルダ（１０２、２０２、３０２）；
前記前後方向（ＤＲ、ＤＦ）に延在する工具ヘッド長手方向軸（Ｔ）を有し、かつ工具ヘッド下端部（１３１）を含む工具ヘッド（１０４、２０４、３０４）であって、前記工具ヘッド下端部が、工具ヘッド合わせ面（１３２、３１６）と、前記工具ヘッド下端部（１３１）から上方に延在しかつ前記工具ヘッド合わせ面（１３２、３１６）から前記後方向（ＤＲ）に離間した工具ヘッドクランピング凹部（１２４）とを備える、工具ヘッド；および
工具ヘッド締結部材（１０６）
を含み、
組み立てられた位置において：
前記工具ヘッド合わせ面（１３２、３１６）が、前記ホルダ合わせ面（１１４、３１４）と蟻継ぎ接続を形成し；および
前記工具ヘッド締結部材（１０６）が前記工具ヘッドクランピング凹部（１２４）をクランピングし、それにより、前記工具ヘッド（１０４、２０４、３０４）を前記工具ホルダ（１０２、２０２、３０２）に外部からクランピングし、
前記ホルダ合わせ面（１１４、３１４）および前記工具ヘッド合わせ面（１３２、３１６）が、それぞれ前記ホルダおよび工具ヘッド軸（Ｈ、Ｔ）に対して傾斜角（δ）だけ傾斜している、切削工具組立体（１００、２００、３００）。
【請求項２】
前記傾斜角（δ）が、０〜６０°の範囲の鋭角である、請求項１に記載の切削工具組立体（１００、２００、３００）。
【請求項３】
前記ホルダ合わせ面（１１４、３１４）が複数のホルダ合わせ側壁（１４０、３１０）を含み、および前記工具ヘッド合わせ面（１３２、３１６）が、前記ホルダ合わせ側壁（１４０、３１０）に合致する複数の工具ヘッド合わせ側壁（１３８、３１２）を含む、請求項１または２に記載の切削工具組立体（１００、２００、３００）。
【請求項４】
前記工具ヘッドクランピング凹部（１２４）がクランピング面（１２６）を含み、および前記工具ヘッド締結部材（１０６）が前記クランピング面（１２６）に押圧される、請求項１に記載の切削工具組立体（１００、２００、３００）。
【請求項５】
前記ホルダクランピング部分（１１２）が少なくとも１つのホルダ支持面（１４６）を有し、および前記工具ヘッド締結部材（１０６）が、摩擦を伴って、実質的に円弧（１５８）上にある前記少なくとも１つのホルダ支持面（１４６）に沿って摺動する、請求項１に記載の切削工具組立体（１００、２００、３００）。
【請求項６】
前記ホルダクランピング部分（１１２）がクランピング軸（Ｍ）に沿って延在し、および
前記クランピング軸（Ｍ）および前記工具ヘッドクランピング凹部（１２４）が、前記ホルダ軸（Ｈ）および前記工具ヘッド軸（Ｔ）にそれぞれ実質的に垂直である、請求項１に記載の切削工具組立体（１００、２００、３００）。
【請求項７】
前記工具ヘッド（１０４、２０４、３０４）が、切削インサート（１６２）を保持するためのインサートポケット（１３０）を備える工具ヘッド上端部（１３３）を有する、請求項６に記載の切削工具組立体（１００、２００、３００）。
【請求項８】
前記ホルダ合わせ面（１１４、３１４）および前記工具ヘッド合わせ面（１３２、３１６）をそれぞれ平面的に見るとき、前記ホルダ合わせ側壁（１４０、３１０）および前記工具ヘッド合わせ側壁（１３８、３１２）が、それぞれホルダ合わせ軸（Ａ）および工具ヘッド合わせ軸（Ｂ）に対して鏡面対称である、請求項３に記載の切削工具組立体（１００、２００、３００）。
【請求項９】
前記ホルダ合わせ面（１１４、３１４）および前記工具ヘッド合わせ面（１３２、３１６）をそれぞれ平面的に見るとき、前記ホルダ合わせ側壁（１４０、３１０）および前記工具ヘッド合わせ側壁（１３８、３１２）が、実質的に直線状である、請求項３に記載の切削工具組立体（１００、２００、３００）。
【請求項１０】
前記ホルダ合わせ面（１１４）が、前記ホルダ合わせ側壁（１４０）によって部分的に制限された雌部分（１１６）を含み、前記雌部分（１１６）が、前記ホルダ合わせ側壁（１４０）と、鋭角のホルダの蟻の角（α）をなし、および
前記工具ヘッド合わせ面（１３２）が、前記工具ヘッド合わせ側壁（１３８）によって部分的に制限された雄部分（１３４）を含み、前記雄部分（１３４）が、前記工具ヘッド合わせ側壁（１３８）と、鋭角の工具ヘッドの蟻の角（β）をなす、請求項３に記載の切削工具組立体（１００、２００）。
【請求項１１】
前記工具ヘッド（１０４）が、前記雄部分（１３４）に実質的に平行しかつ前記雄部分（１３４）から第１の距離（Ｈ１）だけ離間した工具ヘッド当接面（１３５）を含み、および
前記ホルダ（１０２）が、前記雌部分（１１６）に実質的に平行しかつ前記雌部分（１１６）から第２の距離（Ｈ２）だけ離間した少なくとも３つの同一平面上のホルダ当接面（１４４）を含み、前記第２の距離は、前記第１の距離（Ｈ１）と同じかまたはそれを上回る、請求項１０に記載の切削工具組立体（１００、２００）。
【請求項１２】
前記ホルダ合わせ面（３１４）が、前記ホルダ合わせ側壁（３１０）によって部分的に制限された雄部分（３０６）を含み、および
前記工具ヘッド合わせ面（３１６）が、前記工具ヘッド合わせ側壁（３１２）によって部分的に制限された雌部分（３０８）を含む、請求項３に記載の切削工具組立体（３００）。
【請求項１３】
前記ホルダ合わせ側壁（１４０、３１０）が単一ホルダ側壁（１１８）によって接続され、前記単一ホルダ側壁（１１８）が前記ホルダクランピング部分（１１２）の方に向かって広がっている、請求項３に記載の切削工具組立体（１００、２００、３００）。
【請求項１４】
前記工具ヘッド合わせ側壁（１３８、３１２）が単一工具ヘッド側壁（１３６）によって接続され、前記単一工具ヘッド側壁（１３６）が前記工具ヘッドクランピング凹部（１２４）の方に向かって広がっている、請求項３に記載の切削工具組立体（１００、２００、３００）。
【請求項１５】
前記ホルダ合わせ側壁（１４０）が、前記ホルダクランピング部分（１１２）の方に向かって広がっている単一ホルダ側壁（１１８）によって接続されており；
前記工具ヘッド合わせ側壁（１３８）が、前記工具ヘッドクランピング凹部（１２４）の方に向かって広がっている単一工具ヘッド側壁（１３６）によって接続されており；および
前記工具ヘッド合わせ面（１３２）および前記ホルダ合わせ面（１１４）をそれぞれ平面的に見るとき、前記単一の工具ヘッドおよびホルダ側壁（１３６、１１８）の各々がＶ字形状を形成する、請求項３に記載の切削工具組立体（２００）。
【請求項１６】
前記工具ヘッド合わせ面（１３２、３１６）と前記ホルダ合わせ面（１１４、３１４）との間の前記蟻継ぎ接続、および
前記工具ヘッド締結部材（１０６）による前記工具ヘッド（１０４、２０４、３０４）の前記クランピング
が、前記工具ホルダ（１０２、２０２、３０２）に前記工具ヘッド（１０４、２０４、３０４）を保持する唯一の手段である、請求項１に記載の切削工具組立体（１００、２００、３００）。
【請求項１７】
請求項１による切削工具組立体（１００、２００、３００）を含む切削工具（１０１）において、前記組み立てられた位置において、
前記工具ヘッド上端部（１３３）がインサートポケット（１３０）を備え；および
前記インサートポケット（１３０）に切削インサート（１６２）が保持されている、切削工具。
【請求項１８】
前記前後方向（ＤＲ、ＤＦ）の後方に延在する工具ヘッド長手方向軸（Ｔ）を有し、かつ：
インサートポケット（１３０）を備える工具ヘッド上端部（１３３）；
複数の工具ヘッド合わせ側壁（１３８、３１２）を含む工具ヘッド合わせ面（１３２、３１６）を備える工具ヘッド下端部（１３１）；および
前記工具ヘッド下端部（１３１）から前記工具ヘッド上端部（１３３）まで上方に延在しかつ前記工具ヘッド合わせ面（１３２、３１６）の前記後方に離間する工具ヘッドクランピング凹部（１２４）を備える工具ヘッド後面（１２２）
を含み、
前記工具ヘッド合わせ面（１３２、３１６）が工具ヘッド軸（Ｔ）に対して傾斜角（δ）だけ傾いている、工具ヘッド（１０４、２０４、３０４）。
【請求項１９】
前記工具ヘッド合わせ面（１３２）が、前記工具ヘッド合わせ側壁（１３８）によって部分的に制限された雄部分（１３４）を含み；および
前記雄部分（１３４）が、前記工具ヘッド合わせ側壁（１３８）と、鋭角の工具ヘッドの蟻の角（β）をなす、請求項１８に記載の工具ヘッド（１０４、２０４）。
【請求項２０】
前記工具ヘッド合わせ面（３１６）が、前記工具ヘッド合わせ側壁（３１２）によって部分的に制限された雌部分（３０８）を含み、前記工具ヘッド合わせ側壁（１３８、３１２）が、前記工具ヘッドクランピング凹部（１２４）の方に向かって広がっている単一工具ヘッド側壁（１３６）によって接続され、請求項１８に記載の工具ヘッド（３０４）。